(57)【要約】      （修正有）【課題】機台本体内部でメンテナンス作業を迅速に行える反転式スクリーンを有するゲーム機台を提供する。【解決手段】ゲーム機台は、機台本体１と少なくとも１つの表示ユニット２を含み、表示ユニットは、それぞれ枢着装置によって機台本体上に取り付けられ、１つの開口を密閉し、枢着装置は、機台本体内部と表示ユニットとの間にそれぞれ枢着する２つの回転軸３２、及び機台本体と表示ユニットとの間に枢着する少なくとも１つの支持構造３１を含み、回転軸及び支持構造により表示ユニットを支持固定し、表示ユニットは機台本体に対して回転する。機台本体内部の特定装置が相対する位置の表示ユニットを起こしてメンテナンス作業を迅速に行うことができる。【選択図】図４
0003202544.tif 000002
【実用新案登録請求の範囲】
【請求項１】
内に収容空間を定義し、該収容空間と連通する少なくとも１つの開口を形成する機台本体と、
枢着装置によって該機台本体上に取り付けられ、該開口を密閉する少なくとも１つの表示ユニットと、
を含み、そのうち、該枢着装置は、該機台本体内部と該表示ユニットとの間にそれぞれ枢着する２つの回転軸、及び該機台本体と該表示ユニットとの間に枢着する少なくとも１つの支持構造を含み、該回転軸及び該支持構造により該表示ユニットを活動可能に支持固定し、該表示ユニットに該機台本体に対して回転して該開口を開閉させることができる、反転式スクリーンを有するゲーム機台。
【請求項２】
前記回転軸は、湾曲状を呈し、その一端は、該表示ユニットの背面側上で該表示ユニット上部に近隣する位置に枢着し、該回転軸の他端は、該機台本体の内部に枢着する請求項１に記載の反転式スクリーンを有するゲーム機台。
【請求項３】
前記回転軸及び該支持構造は、該表示ユニットを回転させた後に少なくとも一部分の表示ユニット上部を該回転軸の両端の間に収納させる請求項２に記載の反転式スクリーンを有するゲーム機台。
【請求項４】
前記機台本体は、２つの開口を形成し、且つ各開口に表示ユニットを取り付ける請求項３に記載の反転式スクリーンを有するゲーム機台。
【請求項５】
前記枢着装置は、更に、該機台本体と該表示ユニットとの間に枢着する伸縮式支持ロッドを含む請求項１に記載の反転式スクリーンを有するゲーム機台。
【請求項６】
前記支持ロッドは、気圧ロッドである請求項１に記載の反転式スクリーンを有するゲーム機台。
【考案の詳細な説明】
【技術分野】
【０００１】
本考案は、表示ユニットを反転させて機台本体内部の設備に対してメンテナンスを行うことができる反転式スクリーンを有するゲーム機台に関する。
【背景技術】
【０００２】
ゲーム産業の急速な発展に伴い、大型の直立式ゲーム機台は、液晶表示器などの薄型表示器を取り付け、豊かなゲームコンテンツを提供することができる。よく見られるゲーム機台の形態は、箱体及び箱体正面に垂直に結合するドア板から構成され、表示器及びボタンを有するコンソール（console）をドア板上に整合し、使用者がドア板上の投入口を介してコイン、紙幣又はカードを機台内部のコイン投入モジュール又は紙幣投入モジュールに投入し、ゲームを行い、蒸気ゲーム機台内部のその他の装置又は回路に対して修理やメンテナンスを行う時、先ずそのドア板を外向きに開き、メンテナンススタッフをゲーム機台の内部モジュールに接近させることができる。
【０００３】
しかしながら、上記ゲーム機台ドア板の垂直結合設計によって、その前方に相当大きな空間を保留し、ドア板を開放させる必要があり、これは、ゲーム機台の設置に要する面積を増加させ、フロア中の営業可能なゲーム機台の数量を低減させる。また、上記ゲーム機台のドア板は、通常重く且つ体積が大きく、開放後、メンテナンスを行うために比較的大きな施工空間を要し、従って、配置時にその他のゲーム機台と一定間隔を保持して近隣に配置することができず、同時にメンテナンスの阻害を招く。これら欠陥は、商業上の潜在利益獲得の余地に影響を及ぼす。
【先行技術文献】
【特許文献】
【０００４】
【特許文献１】２０１４−２１７６５４
【考案の概要】
【考案が解決しようとする課題】
【０００５】
これに鑑み、上記の欠陥を改善するため、ゲーム機台に表示ユニットを反転することによって機台本体内部で便利にメンテナンス作業を行うことを可能にし、考案者は、長年の経験及び絶え間ない研究開発により、ようやく本考案を誕生させている。
【０００６】
本考案の目的は、反転式スクリーンを有するゲーム機台を提供することにあり、該表示ユニットは、枢着装置により、機台本体前側面に設けられる開口に組み付けられ、該表示ユニットの反転時、機台本体内部に対して迅速にメンテナンス作業を行うことができるようにすることにある。
【０００７】
本考案のもう１つの目的は、反転式スクリーンを有するゲーム機台を提供することにあり、湾曲状回転軸が機台本体内側壁と表示ユニットの間に枢着することにより、表示ユニットを非線形経路に沿って回転させ、反転後に少なくとも一部分の表示ユニット上部を該回転軸の両端の間に収容させることができ、表示ユニットに大部分を機台本体内に収容させ、機台本体内部に対してメンテナンス作業を行うことができるようにすることにある。
【課題を解決するための手段】
【０００８】
上記の目的を達成する為、本考案の反転式スクリーンを有するゲーム機台は、機台本体と少なくとも１つの表示ユニットを含み、そのうち、該機台本体内に収容空間を定義し、該収容空間と連通する少なくとも１つの開口を形成し、該表示ユニットは、それぞれ枢着装置によって該機台本体上に取り付けられ、該開口を密閉し、そのうち、該枢着装置は、該機台本体内部と該表示ユニットとの間にそれぞれ枢着する２つの回転軸、及び該機台本体と該表示ユニットとの間に枢着する少なくとも１つの支持構造を含み、該回転軸及び該支持構造により該表示ユニットを活動可能に支持固定し、該表示ユニットに該機台本体に対して回転して該開口を開閉させることができる。
【０００９】
実施時、該回転軸は、湾曲状を呈し、その一端は、該表示ユニットの背面側上で該表示ユニット上部に近隣する位置に枢着し、該回転軸の他端は、該機台本体の内部に枢着する。
【００１０】
実施時、該回転軸及び該支持構造は、該表示ユニットを回転させた後に少なくとも一部分の表示ユニット上部を該回転軸の両端の間に収納させる。
【００１１】
実施時、該枢着装置は、更に、該機台本体と該表示ユニットとの間に枢着する伸縮式支持ロッドを含む。
【００１２】
実施時、該支持ロッドは、伸縮式気圧ロッドである。
【考案の効果】
【００１３】
従って、本考案は、以下の利点を有する：
１．本考案の枢着装置は、表示ユニットを起こす時に同時に表示ユニットを回転させ、表示ユニットを完全に起こした後に大部分の表示ユニットを機台本体内に収容させ、表示ユニットが起きた後に落下することを回避し、その安全性を強化し、表示ユニットを起こした後に占拠する空間を大幅に低減する。
２．本考案は、メンテナンススタッフにゲーム機台のメンテナンスが必要な部分に対して特定の表示ユニット（例えば、該メンテナンスが必要な部分前方の表示ユニット）のみを起こさせることができ、ゲーム機台のメンテナンスを迅速に完成し、その利用率を向上する。
３．本考案は、ゲーム機台の設置に要する空間を最低の程度まで低減し、フロア中により多くのゲーム機台を設置して、フロア利用率を増進させ、その実用性を大幅に向上する。
【図面の簡単な説明】
【００１４】
【図１】本考案の反転式スクリーンを有するゲーム機台の実施例の外観説明図である。
【図２】図１の実施例の該表示ユニットが該回転軸及び該支持構造と結合後の外観説明図である。
【図３】図１の実施例の該表示ユニットの反転前の断面説明図である。
【図４】図１の実施例の該表示ユニットの反転後の断面説明図である。
【図５】図１の実施例の該表示ユニットの反転後の外観説明図である。
【図６】本考案の反転式スクリーンを有するゲーム機台のもう１つの実施例の該表示ユニットの反転後の断面説明図である。
【考案を実施するための形態】
【００１５】
本考案を更に理解する為、以下に好適な実施例を挙げ、図面、符号を合わせ、本考案の具体的構成内容及びそれが達成する効果を詳細に説明する。
【００１６】
図１〜図５を参照し、それは、本考案の反転式スクリーンを有するゲーム機台の実施例であり、機台本体１、２つの分離した表示ユニット２及び２つの枢着装置３を含み、そのうち、該機台本体１の内部は、収容空間１０を定義し、その前側面に２つの該収容空間と連通する開口１１を形成する。
【００１７】
各枢着装置３は、２つの支持構造３１及び２つの略Ｕ型を呈する湾曲状回転軸３２を含み、そのうち、該回転軸３２の一端は、機台本体１内でそれぞれ機台本体１の左右側板１２上に枢着し、該回転軸３２の他端は、該表示ユニットの機台本体内部に向き合う背面側上で該表示ユニット２上部の位置にそれぞれ枢着する。該支持構造３１の一端は、機台本体１内でそれぞれ機台本体１の左右側板１２に枢着し、該支持構造３１の他端は、該表示ユニット背面側で回転軸３２の枢着箇所よりやや低い下方位置に枢着する。これにより、該表示ユニット２は、該枢着装置３によって該機台本体１の前側面に取り付けられ、そのうちの開口１１を密閉し、該回転軸３２及び支持構造３１を利用して表示ユニット２を活動可能に支持固定し、表示ユニット２を該機台本体１に対して上下に反転させて該開口１１を閉鎖させることができる。
【００１８】
該回転軸３２及び支持構造３１の枢着位置は、上向きに表示ユニット２を起こす時に適するように配置され、該表示ユニット２を円弧状経路に沿って該回転軸及び該支持構造の回転可能且つ移動可能な支持を受けて回転し、表示ユニット２を完全に起こした後に表示ユニット２上部の一部分を該Ｕ型軸３２の両端の間に収容することができる。
【００１９】
実施時、メンテナンススタッフは、機台本体１の内部部材のメンテナンスの前、表示ユニット２の下方から上向きに該表示ユニット２を起こし、表示ユニット２を上向きに回転させ、同時にその上部により機台本体１内部へ移動し、該表示ユニット２を完全に反転させた後、大部分の表示ユニット２を機台本体１内に収容させ、メンテナンススタッフは、機台本体内部に対してメンテナンス作業を便利に行うことができる。
【００２０】
図６を参照し、それは、本考案は、反転式スクリーンを有するゲーム機台のもう１つの実施例であり、上記実施例の構造を基礎とし、該枢着装置３に伸縮式支持ロッド３３（例えば、伸縮式気圧ロッド）を設置し、該支持ロッド３３の一端は、機台本体１内に機台本体１の側面板１２に枢着し、該支持ロッド３３の他端は、該表示ユニット２背面側において、該表示ユニット２底部に近隣する位置に枢着氏、表示ユニット２を完全に起こした後、表示ユニット２を支持する。
【００２１】
その他の実施例において、上記回転軸は、その表示ユニットの位置に基づいてＵ型以外の湾曲形状、例えばＬ型に設置することができる。
【００２２】
従って、本考案は、以下の利点を有する：
１．本考案の枢着装置は、表示ユニットを起こす時に同時に表示ユニットを回転させ、表示ユニットを完全に起こした後に大部分の表示ユニットを機台本体内に収容させ、表示ユニットが起きた後に落下することを回避し、その安全性を強化し、表示ユニットを起こした後に占拠する空間を大幅に低減する。
２．本考案は、メンテナンススタッフにゲーム機台のメンテナンスが必要な部分に対して特定の表示ユニット（例えば、該メンテナンスが必要な部分前方の表示ユニット）のみを起こさせることができ、ゲーム機台のメンテナンスを迅速に完成し、その利用率を向上する。
３．本考案は、ゲーム機台の設置に要する空間を最低の程度まで低減し、フロア中により多くのゲーム機台を設置して、フロア利用率を増進させ、その実用性を大幅に向上する。
【００２３】
上記のように、開示される内容に基づき、本考案は、実用新案の予期する目的を達成することができ、表示ユニットを回転させることによって機台本体内部に対してメンテナンスを行うことができる反転式スクリーンを有するゲーム機台を提供し、産業上利用の価値を備え、法に基づき実用新案出願を提出する。
【符号の説明】
【００２４】
１  機台本体
１０  収容空間
１１  開口
１２  側面板
２  表示ユニット
３  枢着装置
３１  支持構造
３２  回転軸
３３  支持ロッド
【図１】
0003202544.tif 000003
【図２】
0003202544.tif 000004
【図３】
0003202544.tif 000005
【図４】
0003202544.tif 000006
【図５】
0003202544.tif 000007
【図６】
0003202544.tif 000008
【手続補正書】
【提出日】平成27年12月4日(2015.12.4)
【手続補正１】
【補正対象書類名】実用新案登録請求の範囲
【補正対象項目名】請求項６
【補正方法】変更
【補正の内容】
【請求項６】
前記支持ロッドは、気圧ロッドである請求項５に記載の反転式スクリーンを有するゲーム機台。